(57)【要約】【課題】石材用接着剤やコンクリートを用いなくても、強固な接合ができ、容易に接合が解除でき、石材の交換が可能になる石材接合構造を提供する。【解決手段】一方の石材１の端部と他方の石材１の端部とを、石材用接着剤やコンクリート１０３を用いずに接合する。一方の石材１の端部に形成した第１切欠７に、接合の方向と直交する平面部９に第１貫通孔部１１を開ける。他方の石材１の端部に形成した第２切欠１３に、接合の方向と直交する平面部９に第２貫通孔部１５を開ける。そして、第１切欠７へ第２切欠１３を裏返して重ねることで連通した状態となる第１貫通孔部１１と第２貫通孔部１５に対し、駒石１７を挿通し嵌合する。通孔部から駒石１７を抜き取ることで容易に接合が解除でき、石材１の交換が可能になる。【選択図】図１
2009030381.tif 000002
【特許請求の範囲】
【請求項１】
一方の石材の端部と他方の石材の端部とを接合する構造において、前記一方の石材の端部に形成した第１切欠と、この第１切欠の前記接合の方向と平行な平面部に開けられた第１貫通孔部と、前記他方の石材の端部に形成した第２切欠と、この第２切欠の前記接合の方向と平行な平面部に開けられた第２貫通孔部と、前記第１切欠へ前記第２切欠を裏返して重ねることで連通した状態となる前記第１貫通孔部と前記第２貫通孔部に対し挿通されて嵌合する駒石と、を有することを特徴とする石材接合構造。
【請求項２】
接合される二つの前記石材は、柱状の長物で、接合後の姿は連続した直線状であり、前記第１切欠及び第２切欠は、Ｌ字状をなし、このＬ字状の角度、及び前記Ｌ字状の前記石材の辺部に対する角度は、略９０度であり、前記第１貫通孔部及び第２貫通孔部は、前記Ｌ字状の先端側の平面部に開けられ、四角形状で、連通した状態で四角柱状の空間を形成し、この空間に対して四角柱状の前記駒石が嵌合することを特徴とする請求項１に記載の石材接合構造。
【発明の詳細な説明】
【技術分野】
【０００１】
この発明は、一方の石材の端部と他方の石材の端部とを接合する構造に関する。
【背景技術】
【０００２】
図４に示すように、石材１００の端部を接合する構造としては、一般的には、接合面１０１に石材用接着剤やコンクリート１０３を用いる。強固に接合したいときには、石材用接着剤やコンクリート１０３を用いるだけではなく、さらに図４（Ａ）に示すように、一方の石材の端部に凸部１０５を形成し、他方の石材の端部に凹部１０７を形成し、両者を嵌合させる。あるいは、図４（Ｂ）に示すように、両石材の端部に、互いに連通する位置に棒穴１０９を形成し、この穴にステンレス棒１１１を挿通する。
【０００３】
また、特許文献１には図３に示す接合構造も提案されている。すなわち、石材の柱状のもの１１３と梁状のもの１１５との交差部分の接合構造であり、柱状のもの１１３の頂部に形成された水平溝１１７の両端へ、左右から、梁状のもの１１５の端部に形成された接合凸部１１９が挿入される。この挿入された二つの接合凸部１１９にはそれぞれピン穴１２１が形成されている。この二つのピン穴１２１には、ステンレスのピン１２３が挿通され、両ピンは、柱状のもの頂部に載置される頭部石１２５に固定されている。
【特許文献１】特開平０７−２５９３８４
【発明の開示】
【発明が解決しようとする課題】
【０００４】
しかしながら、石材用接着剤やコンクリートを用いると、石材の交換が必要になったときに、容易に交換することができない。
また、交換を容易にするために石材用接着剤やコンクリートを用いないと、図４（Ａ）（Ｂ）の構造では、現実的な強固な接合ができない。
さらに図３の構造を、石材用接着剤やコンクリートを用いないものとして、二つの石材の接合に応用しようとすると、３通りの構造が考えれる。すなわち、接合しようとする二つの石材が共に梁状のもの１１５，１１５である構造、二つの石材が共に柱状のもの１１３，１２５である構造、二つの石材が一方は梁状のもの１１５であり他方が柱状のもの１１３である構造、である。
【０００５】
このうち、接合しようとする二つの石材が共に梁状のもの１１５、１１５である構造とすると、接合のためには、柱状のもの１１３，１２５に相当する上下からの補助材が必要になり、非現実的で不便である。また、接合しようとする二つの石材が共に柱状のもの１１３，１２５である構造とすると、接合のためには、梁状のもの１１５、１１５に相当する左右からの補助材が必要になり、この補助材が中間的存在する分だけ、接合が不安定になる。さらに、二つの石材が一方は梁状のもの１１５であり他方が柱状のもの１１３である構造とすると、接合のためには、他の梁状のもの１１５に相当する補助材と、頭部石１２５に相当する補助材とが必要になり、この補助材が中間的存在する分だけ、接合が不安定になる。
また、一般に石材というと、墓石や建築材としての利用が代表的なものだが、石が持つ癒し効果や、自然素材ならではの重厚感を生かし、もっと身近な生活空間に石材を取り入れることも考えられる。しかしながら、職人ではない一般人が石材を扱うことは難しく、そのひとつの要因として、前述のような接合の問題が挙げられる。石材同士の接合は、接着剤やコンクリートなどで接着しなければならず、ある程度の専門的な知識や経験が必要である。接合に接着剤を必要としない構造が可能であれば、接合作業が簡略化され、部材の交換（取り外し）も容易になり、一般人が石材を扱うことが容易になる。
【０００６】
この発明は、以上の課題を解決するためになされたものであり、石材用接着剤やコンクリートを用いなくても、安定した強固な接合ができ、容易に接合が解除でき、石材の交換が可能になり、一般人が石材を扱うことが容易になる石材接合構造を提供することを目的とする。
【課題を解決するための手段】
【０００７】
以上の課題を解決するために、第一発明は、一方の石材の端部と他方の石材の端部とを接合する構造において、前記一方の石材の端部に形成した第１切欠と、この第１切欠の前記接合の方向と平行な平面部に開けられた第１貫通孔部と、前記他方の石材の端部に形成した第２切欠と、この第２切欠の前記接合の方向と平行な平面部に開けられた第２貫通孔部と、前記第１切欠へ前記第２切欠を裏返して重ねることで連通した状態となる前記第１貫通孔部と前記第２貫通孔部に対し挿通されて嵌合する駒石と、を有することを特徴とする石材接合構造である。
【０００８】
第二発明は、接合される二つの前記石材は、柱状の長物で、接合後の姿は連続した直線状であり、前記第１切欠及び第２切欠は、Ｌ字状をなし、このＬ字状の角度、及び前記Ｌ字状の前記石材の辺部に対する角度は、略９０度であり、前記第１貫通孔部及び第２貫通孔部は、前記Ｌ字状の先端側の平面部に開けられ、四角形状で、連通した状態で四角柱状の空間を形成し、この空間に対して四角柱状の前記駒石が嵌合することを特徴とする請求項１に記載の石材接合構造である。
【発明の効果】
【０００９】
第一、又は第二発明によれば、課題石材用接着剤やコンクリートを用いなくても、連通した状態となる第１貫通孔部と第２貫通孔部に対し駒石を挿通し嵌合することで強固な接合ができる。また、通孔部から駒石を抜き取ることで容易に接合が解除でき、石材の交換が可能になる。
また、接合に接着剤を必要としない構造なので、接合作業が簡略化され、部材の交換（取り外し）も容易になり、一般人が石材を扱うことが容易になる。
【００１０】
また、第二発明によれば、さらに、切欠のＬ字状の角度を略９０度とし、貫通孔部や駒石を四角形状とすることで、石材の加工が容易になり、石材接合構造のコストが抑えられる。
【発明を実施するための最良の形態】
【００１１】
この発明の実施形態を、図１に示す。
（全体概略）
図１（Ａ）に示すように、接合される二つの石材１は、柱状の長物で、接合後の姿は連続した直線状である。下側の石材３の端部と上側の石材５の端部とが接合される。図１（Ｂ）に示すように、下側の石材３の端部にＬ字状の第１切欠７が形成される。この第１切欠７に対して、接合の方向すなわち上下方向と平行な平面部９に、第１貫通孔部１１が開けられる。
【００１２】
上側の石材５の端部にも、Ｌ字状の第２切欠１３が形成される。この第２切欠１３に対しても、接合の方向すなわち上下方向と平行な平面部１４に、第２貫通孔部１５が開けられる。
第１切欠７へ、第２切欠１３を裏返して重ねることで、第１貫通孔部１１と第２貫通孔部１５は連通した状態となる。連通した貫通孔部１１，１５に対し駒石１７が挿通されて嵌合する。
【００１３】
（各部）
図１（Ｃ）に示すように、各切欠７，１３のＬ字状を構成する二つの辺１９、２０のなす角度ａは、略９０度である。また、Ｌ字状を構成する二つの辺１９、２０が、各々、石材１の辺部２２，２４に対し接してなす角度ｂ、ｃは、共に、略９０度である。
【００１４】
第１貫通孔部１１及び第２貫通孔部１５は、Ｌ字状の先端側の平面部９、１４に、直交して開けられる。形状は四角形状であり、この四角形の寸法は、各貫通孔部１１，１５で同じである。よって、連通した状態で、やはり四角柱状の空間を形成する。
この空間に対して、駒石１７の形状はほぼ同じで、挿通できる程度に小さい。
【００１５】
（接合、接合の解除）
石材用接着剤やコンクリートを用いずに接合する。第１切欠７へ第２切欠１３を裏返して重ねる。これにより連通した貫通孔部１１，１５に対し、駒石１７を挿通し嵌合させる。また、貫通孔部１１，１５から駒石１７を抜き取ることで容易に接合が解除できる。この解除に際して、連通した貫通孔部１１，１５の一方の開口側２５（図１（Ｃ））から、駒石１７を押圧あるいは打突すれば、他方の開口側２７（図１（Ｃ））へ駒石１７は突出するので、抜き取りは容易に行われる。
【００１６】
「実施形態の効果」
この実施形態によれば、課題石材用接着剤やコンクリートを用いなくても、連通した状態となる第１貫通孔部１１と第２貫通孔部１５に対し駒石１７を挿通しきっちりと嵌合することで、強固な接合ができる。また、一方の開口側２５または２７から、駒石１７を押圧あるいは打突することで、容易に通孔部から駒石１７を抜き取ることができる。そして、両石材１，１を動かさなくても、容易に接合が解除でき、石材１の交換が可能になる。
【００１７】
さらに、切欠のＬ字状の角度ａ、ｂ、ｃを略９０度とし、貫通孔部や駒石１７を四角形状とすることで、構造を単純化でき、石材１の加工が容易になり、石材接合構造のコストが抑えられる。
また、第１貫通孔部１１及び第２貫通孔部１５の形状は四角形状であること、また、貫通孔部１１、１５を通しての石材同士の嵌合であることから、この四角形が存在する平面内でのモーメント荷重に対して、大きな強度を発揮する。この四角形の大きさはモーメント荷重の大きさに応じて接待されうる。
また、駒石１７のみを用い、金属のピンなどを用いず外観に優れる。
また、例えば、この構造を有する石材を規格化すれば、各々の石材ユニットを繋げたり、取り外したりしながら、一般人としてのユーザーの目的に応じて、自由に長さを変更することが可能となる。よって、一般人が石材を扱うことが容易になる。
この技術の有効な利用分野としては、ガーデニング素材や、インテリア素材などが考えられる。すなわち、個人レベルでの小規模な石材構造物の施工に、強みを発揮する。「石を置く」「石を並べる」の利用から、「石をつなげる」の利用へと発展させることができる。
【００１８】
「他の実施形態」
（１）以上の実施形態では、接合される二つの前記石材１は、柱状の長物で、Ｌ字状の角度ａ、及びＬ字状の石材１の辺部２２，２４に対する角度ｂ，ｃは、略９０度であったが、他の実施形態では、例えば図２（Ａ）に示すように、９０度ではなく鋭角とすることで、接合部２１の左右のずれを防止できる。
【００１９】
すなわち、Ｌ字状を構成する二つの辺１９のなす角度ａを９０度よりも小さい鋭角にし、また、Ｌ字状を構成する二つの辺１９、２０が、各々、石材１の辺部２２，２４に対し接してなす角度ｂ，ｃも、共に、鋭角にする。これにより、接合部２１に左右のずれを生じさせる力が働いても、石材１の端部は、鋭角により形成された斜面を登らなくてはならず、抵抗を生じ、ずれを防止できる。
【００２０】
（２）以上の実施形態では、接合される二つの前記石材１は、柱状の長物であったが、他の実施形態では、梁状のものでもかまわない。例えば図２（Ｂ）に示すように、接合される二つの前記石材１を横置きにした状態にもできる。この場合に、駒石１７の脱落を防止するために、テーパー形状を採用する。
【００２１】
すなわち、第１貫通孔部１１及び第２貫通孔部１５は、連通した状態で四角柱状の空間を形成するが、この空間は、四角錘台とし下側が小さくなるテーパー形状とする。この空間に嵌合する駒石１７の形状も、同様に、四角錘台で下側が小さくなるテーパー形状とする。
また、この場合にも、Ｌ字状の角度ａ，ｃを鋭角とすることで、接合部２１の左右、すなわち長手方向のずれを防止できる。
【００２２】
（３）以上の実施形態では、石材１の接合後の姿は連続した直線状であったが、他の実施形態では、Ｌ字状とすることもできる。すなわち図１において接合される二つの石材１，１を互いに９０度の角度で接合することも可能である。
（４）以上の実施形態では、石材１の接合後の姿は連続した直線状であったが、他の実施形態では、平面状とすることもできる。
すなわち、接合される二つの前記石材１は、共に板状であり、接合の端部は、以上の実施形態よりも長い部分にわたる。その長い部分に形成された切欠には、第１貫通孔部及び第２貫通孔部の複数の組が設けられて、接合強度を維持する。
【図面の簡単な説明】
【００２３】
【図１】この発明の一実施形態を示すもので、（Ａ）は接合後の斜視図、（Ｂ）は接合前の分解斜視図、（Ｃ）は（Ａ）の側面図である。
【図２】（Ａ）（Ｂ）は、この発明の他の実施形態を示すもので、図１（Ｃ）に対応する図である。
【図３】従来技術を示すもので（Ａ）は分解図、（Ｂ）は接合後の断面図である。
【図４】従来技術を示すもので（Ａ）（Ｂ）は共に接合後の断面図である。
【符号の説明】
【００２４】
１…石材、３…下側の石材、５…上側の石材、７…第１切欠、９…平面部、１１…第１貫通孔部、１３…第２切欠、１５…第２貫通孔部、１７…駒石、１９…二つの辺、２１…接合部、１０１…接合面、１０３…コンクリート、１０５…凸部、１０７…凹部、１０９…棒穴、１１１…ステンレス棒、１１３…柱状のもの、１１５…梁状のもの、１１７…水平溝、１１９…接合凸部、１２１…ピン穴、１２３…ピン、１２５…頭部石。
【図１】
2009030381.tif 000003
【図２】
2009030381.tif 000004
【図３】
2009030381.tif 000005
【図４】
2009030381.tif 000006